【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
入力された画像データを符号化する符号化装置において、
前記画像データを所定のサイズのブロックにブロック化するブロック化手段と、
前記ブロック化手段によってブロック化された各ブロックにおける画像データの特徴量を検出する検出手段と、
前記検出手段によって検出された前記特徴量に基づいて、前記ブロック化手段によってブロック化された各ブロックをグループ化してブロック群を生成するブロック群生成手段と、
前記ブロック群生成手段によって生成された各ブロック群に対し、前記ブロック群に属する前記ブロックにおける画像データの頻度分布に基づいて、複数の量子化代表値からなる量子化テーブルを作成する作成手段と、
前記ブロック化手段によってブロック化された各ブロックの画像データを、属する前記ブロック群に対応した前記量子化テーブルに基づいて量子化する量子化手段と
を含むことを特徴とする符号化装置。
【請求項２】
前記画像データには、ノイズが付加されている
ことを特徴とする請求項１に記載の符号化装置。
【請求項３】
入力された前記画像データにノイズを付加するノイズ付加手段を
さらに含むことを特徴とする請求項１に記載の符号化装置。
【請求項４】
前記画像データは、少なくとも１度符号化された後、復号化されている
ことを特徴とする請求項１に記載の符号化装置。
【請求項５】
前記ブロック化手段は、複数枚の画像データを３次元のブロックにブロック化する
ことを特徴とする請求項１に記載の符号化装置。
【請求項６】
前記作成手段は、前記ブロック群生成手段によって生成された各ブロック群に対し、前記ブロック群に属する前記ブロックにおける画像データの頻度分布に基づいて、前記ブロック群に含まれる画素が前記複数の量子化代表値に均等に分散されるように前記複数の量子化代表値を決定して前記量子化テーブルを作成する
ことを特徴とする請求項１に記載の符号化装置。
【請求項７】
前記検出手段は、前記ブロック化手段によってブロック化された各ブロックに含まれる
画素の画素値の最小値およびダイナミックレンジを少なくとも検出する
ことを特徴とする請求項１に記載の符号化装置。
【請求項８】
前記ブロック群生成手段は、前記検出手段によって検出された画素値のダイナミックレンジが共通なブロックをグループ化してブロック群を生成する
ことを特徴とする請求項７に記載の符号化装置。
【請求項９】
前記作成手段は、前記ブロック群生成手段によって生成された各ブロック群に対し、前記ブロック群に属する各ブロックの各画素の画素値と前記ブロックの画素の最小値との差分値の頻度分布に基づいて、複数の量子化代表値からなる量子化テーブルを作成する
ことを特徴とする請求項７に記載の符号化装置。
【請求項１０】
前記量子化手段は、少なくとも前記量子化テーブル、および前記各ブロックの画像データの量子化結果である量子化コードを出力する
ことを特徴とする請求項１記載の符号化装置。
【請求項１１】
前記検出手段は、前記ブロック化手段によってブロック化された各ブロックに含まれる画素の画素値の最大値および最小値を少なくとも検出する
ことを特徴とする請求項１に記載の符号化装置。
【請求項１２】
前記ブロック群生成手段は、前記検出手段によって検出された画素値の最大値および最小値がそれぞれ共通なブロックをグループ化してブロック群を生成する
ことを特徴とする請求項１１に記載の符号化装置。
【請求項１３】
前記作成手段は、前記ブロック群生成手段によって生成された各ブロック群に対し、前記ブロック群に属する各ブロックの各画素の画素値と前記ブロック群において共通な画素の最小値との差分値の頻度分布に基づいて、複数の量子化代表値からなる量子化テーブルを作成する
ことを特徴とする請求項１１に記載の符号化装置。
【請求項１４】
前記量子化手段の出力結果を逆量子化する逆量子化手段を
さらに含むことを特徴とする請求項１に記載の符号化装置。
【請求項１５】
入力された画像データを符号化する符号化方法において、
前記画像データを所定のサイズのブロックにブロック化するブロック化ステップと、
前記ブロック化ステップの処理でブロック化された各ブロックにおける画像データの特徴量を検出する検出ステップと、
前記検出ステップの処理で検出された前記特徴量に基づいて、前記ブロック化ステップの処理でブロック化された各ブロックをグループ化してブロック群を生成するブロック群生成ステップと、
前記ブロック群生成ステップの処理で生成された各ブロック群に対し、前記ブロック群に属する前記ブロックにおける画像データの頻度分布に基づいて、複数の量子化代表値からなる量子化テーブルを作成する作成ステップと、
前記ブロック化ステップの処理でブロック化された各ブロックの画像データを、属する前記ブロック群に対応した前記量子化テーブルに基づいて量子化する量子化ステップと
を含むことを特徴とする符号化方法。
【請求項１６】
入力された画像データを符号化するためのプログラムであって、
前記画像データを所定のサイズのブロックにブロック化するブロック化ステップと、
前記ブロック化ステップの処理でブロック化された各ブロックにおける画像データの特徴量を検出する検出ステップと、
前記検出ステップの処理で検出された前記特徴量に基づいて、前記ブロック化ステップの処理でブロック化された各ブロックをグループ化してブロック群を生成するブロック群生成ステップと、
前記ブロック群生成ステップの処理で生成された各ブロック群に対し、前記ブロック群に属する前記ブロックにおける画像データの頻度分布に基づいて、複数の量子化代表値からなる量子化テーブルを作成する作成ステップと、
前記ブロック化ステップの処理でブロック化された各ブロックの画像データを、属する前記ブロック群に対応した前記量子化テーブルに基づいて量子化する量子化ステップと
を含むことを特徴とするコンピュータが読み取り可能なプログラムが記録されている記録媒体。
【請求項１７】
入力された画像データを符号化するためのプログラムであって、
前記画像データを所定のサイズのブロックにブロック化するブロック化ステップと、
前記ブロック化ステップの処理でブロック化された各ブロックにおける画像データの特徴量を検出する検出ステップと、
前記検出ステップの処理で検出された前記特徴量に基づいて、前記ブロック化ステップの処理でブロック化された各ブロックをグループ化してブロック群を生成するブロック群生成ステップと、
前記ブロック群生成ステップの処理で生成された各ブロック群に対し、前記ブロック群に属する前記ブロックにおける画像データの頻度分布に基づいて、複数の量子化代表値からなる量子化テーブルを作成する作成ステップと、
前記ブロック化ステップの処理でブロック化された各ブロックの画像データを、属する前記ブロック群に対応した前記量子化テーブルに基づいて量子化する量子化ステップと
を含む処理をコンピュータに実行させることを特徴とするプログラム。
【請求項１８】
画像データを符号化する符号化部と、前記符号化部の出力を復号化する復号化部とを備え、前記画像データに対して符号化と復号化を繰り返すと前記画像データが劣化される画像処理システムにおいて、
前記符号化部は、
前記画像データを所定のサイズのブロックにブロック化するブロック化手段と、
前記ブロック化手段によってブロック化された各ブロックにおける画像データの特徴量を検出する検出手段と、
前記検出手段によって検出された前記特徴量に基づいて、前記ブロック化手段によってブロック化された各ブロックをグループ化してブロック群を生成するブロック群生成手段と、
前記ブロック群生成手段によって生成された各ブロック群に対し、前記ブロック群に属する前記ブロックにおける画像データの頻度分布に基づいて、複数の量子化代表値からなる量子化テーブルを作成する作成手段と、
前記ブロック化手段によってブロック化された各ブロックの画像データを、属する前記ブロック群に対応した前記量子化テーブルに基づいて量子化する量子化手段と
を含む
ことを特徴とする画像処理システム。
【請求項１９】
画像データを符号化する符号化部と、前記符号化部の出力を復号化する復号化部とを備え、前記画像データに対して符号化と復号化を繰り返すと前記画像データが劣化される画像処理システムにおいて、
前記復号化部は、
前記符号化部によって前記画像データが所定のブロックにブロック化されて前記ブロック単位で符号化された結果である符号化データから、少なくとも量子化テーブルと量子化コードを検出する検出手段と、
前記量子化テーブルを参照することにより、前記量子化コードから前記ブロック単位の画像データを復号化する復号化手段とを含む
ことを特徴とする画像処理システム。
【手続補正２】
【補正対象書類名】明細書
【補正対象項目名】発明の名称
【補正方法】変更
【補正の内容】
【発明の名称】符号化装置および方法、記録媒体、プログラム、並びに画像処理システム
【手続補正３】
【補正対象書類名】明細書
【補正対象項目名】０００１
【補正方法】変更
【補正の内容】
【０００１】
本発明は、符号化装置および方法、記録媒体、プログラム、並びに画像処理システムに関し、特に、アナログデータのコピーを抑止する場合に用いて好適な符号化装置および方法、記録媒体、プログラム、並びに画像処理システムに関する。
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００４１
【補正方法】削除
【補正の内容】
【手続補正１３】
【補正対象書類名】明細書
【補正対象項目名】００４２
【補正方法】削除
【補正の内容】
【手続補正１４】
【補正対象書類名】明細書
【補正対象項目名】００４３
【補正方法】削除
【補正の内容】
【手続補正１５】
【補正対象書類名】明細書
【補正対象項目名】００４４
【補正方法】変更
【補正の内容】
【００４４】
本発明の第１の画像処理システムにおいては、符号化部により、画像データが所定のサイズのブロックにブロック化され、各ブロックにおける画像データの特徴量が検出され、検出された特徴量に基づいて、各ブロックがグループ化されてブロック群が生成される。さらに、各ブロック群に対し、ブロック群に属するブロックにおける画像データの頻度分布に基づいて、複数の量子化代表値からなる量子化テーブルが作成され、各ブロックの画像データが、属するブロック群に対応した量子化テーブルに基づいて量子化される。
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】変更
【補正の内容】
【００４９】
本発明の第２の画像処理システムにおいては、復号化部により、符号化部によって画像データが所定のブロックにブロック化されてブロック単位で符号化された結果である符号化データから、少なくとも量子化テーブルと量子化コードが検出され、量子化テーブルが参照されることにより、量子化コードからブロック単位の画像データが復号化される。
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】変更
【補正の内容】
【００５８】
請求項１８に記載の画像処理システム（例えば、図１の画像表示システム１）は、符号化部（例えば、図１の符号化部２２−２）が、画像データを所定のサイズのブロックにブロック化するブロック化手段（例えば、図５のブロック分割部６１）と、ブロック化手段によってブロック化された各ブロックにおける画像データの特徴量を検出する検出手段（例えば、図５の特徴量検出部６２）と、検出手段によって検出された特徴量に基づいて、ブロック化手段によってブロック化された各ブロックをグループ化してブロック群を生成するブロック群生成手段（例えば、図５のブロック群分類部６３）と、ブロック群生成手段によって生成された各ブロック群に対し、ブロック群に属するブロックにおける画像データの頻度分布に基づいて、複数の量子化代表値からなる量子化テーブルを作成する作成手段（例えば、図５の量子化テーブル作成部６４）と、ブロック化手段によってブロック化された各ブロックの画像データを、属するブロック群に対応した量子化テーブルに基づいて量子化する量子化手段（例えば、図５の量子化部６５）とを含む。
【手続補正２２】
【補正対象書類名】明細書
【補正対象項目名】００５９
【補正方法】削除
【補正の内容】
【手続補正２３】
【補正対象書類名】明細書
【補正対象項目名】００６０
【補正方法】削除
【補正の内容】
【手続補正２４】
【補正対象書類名】明細書
【補正対象項目名】００６１
【補正方法】削除
【補正の内容】
【手続補正２５】
【補正対象書類名】明細書
【補正対象項目名】００６２
【補正方法】変更
【補正の内容】
【００６２】
請求項１９に記載の画像処理システム（例えば、図１の画像表示システム１）は、復号化部（例えば、図１の再生装置１４の復号化部３１−１）が、符号化部によって画像データが所定のブロックにブロック化されてブロック単位で符号化された結果である符号化データから、少なくとも量子化テーブルと量子化コードを検出する検出手段（例えば、図１１の符号化データ分離部７１）と、量子化テーブルを参照することにより、量子化コードからブロック単位の画像データを復号化する復号化手段（例えば、図１１のブロック復号化部７２）とを含む。
【手続補正２６】
【補正対象書類名】明細書
【補正対象項目名】００６３
【補正方法】削除
【補正の内容】
【手続補正２７】
【補正対象書類名】明細書
【補正対象項目名】００６４
【補正方法】削除
【補正の内容】
【手続補正２８】
【補正対象書類名】明細書
【補正対象項目名】００６５
【補正方法】削除
【補正の内容】